(57)【要約】      （修正有）【課題】野菜、果物、魚介類や肉等の食品や樹脂等の化学物質等を低温に保つためのプレハブ冷蔵庫や保冷庫或いは保冷を必要とする金属製のコンテナ等保冷設備に関するものであり、屋外の過酷な環境下で使用されることが多く、風による対流熱や太陽からの輻射熱或いは気温による温度変化が室内の温度に大きな影響を及ぼす。【解決手段】保冷設備の外装材４と内装材１の間に、単層又は複層のアルミホイル等輻射熱に対して高反射率の素材３を設ける。【選択図】図１
2014020775.tif 000002
【特許請求の範囲】
【請求項１】
外装材と内装材の間に、単層又は複層のアルミホイル等輻射熱に対して高反射率の素材を設けた保冷設備。
【請求項２】
内装材の外壁面側や外装材の内壁面側に、アルミホイル等輻射熱に対して高反射率の素材を取り付けた保冷設備。
【発明の詳細な説明】
【技術分野】
【０００１】  本発明は、野菜、果物、魚介類や肉等の食品や樹脂等の化学物質等を低温に保つためのプレハブ冷蔵庫や保冷庫或いは保冷を必要とする金属製のコンテナ等保冷設備に関するものである。
【背景技術】
【０００２】  野菜や果物等は０℃以上で保存されるものが多く、これらの用途には冷蔵庫が使われている。又、肉や魚等は０℃以下の冷凍保存が多く、これらの用途には保冷庫が多く使われている。
これらの保冷設備は、断熱材の両面を樹脂パネル等で囲った断熱パネルを製作、これを箱型に組立して冷蔵庫や冷凍庫として使用されている。
【先行技術文献】
【特許文献】
【０００３】
【特許文献１】特許出願平４−３４７９７１
【特許文献２】特許出願平７−２４０６９４
【発明の概要】
【発明が解決しようとしている課題】
【０００４】  その為次のような問題があった。
何れの商品も品質確保がもっとも重要で、その為には室内の温度を常に一定に保つ必要がある。しかし、これらの保冷設備は屋外の過酷な環境下で使用されることが多く、風による対流熱や太陽からの輻射熱或いは気温による温度変化が室内の温度に大きな影響を及ぼしている。
【０００５】  これらの条件から保冷設備内の温度を安定化するためには、断熱パネル両面の熱の出入りを如何に少なくするかが重要なポイントとなる。このため、一般的には外装材と内装材の間に発砲断熱材等が入れられ熱移動を阻止している。
しかし、これら断熱材は熱の伝わり方を遅くするのが目的であり、一度断熱材に熱が吸収されてしまえば、その熱の殆どが時間と共に室内に侵入することになる。屋外の過酷な環境下で使用される保冷設備ではこの傾向が強く、室内温度を安定化させることは非常に困難である。
【０００６】  又、断熱材を厚くすればある程度の電力は削減可能であるが、今度は制作費にコストがかかることや、内容積が小さくなる等の問題も発生する。
本発明は、これらの問題を解決する為になされたものである。
【課題を解決するための手段】
【０００７】  外装材と内装材の間に、単層又は複層のアルミホイル等輻射熱に対して高反射率の素材を設けた保冷設備である。
【０００８】  内装材の外壁面側や外装材の内壁面側に、アルミホイル等輻射熱に対して高反射率の素材を取り付けた保冷設備である。
【図面の簡単な説明】
【０００９】
【図１】  内装材と外装材の間に、アルミホイル等輻射熱に対して高反射率の素材を１層設けた斜視図
【図２】  内装材の外壁面側に、アルミホイル等輻射熱に対して高反射率の素材を１層取り付けた斜視図
【発明を実施するための形態】
【００１０】  以下本発明を実施するための最良の形態について説明する。
太陽からの輻射熱や風による対流熱或いは大気からの伝導熱の殆どは、一端保冷設備の外装材４に吸収される。この熱は、伝導熱、対流熱、輻射熱の形態を取って再び内装材１に向かって侵入することになる。
対流を起こさない要因の一つは、隣り合う二面間の間隔を４０ミリメートル以下にする事である。従って、この間隔以下であれば、主として伝導熱と輻射熱を考えれば良い事になる。
【００１１】  本発明は、外装材４と内装材１の間に単層又は複層のアルミホイル等輻射熱に対して高反射率の素材３を設けたものである。
【００１２】  外装材４や内装材１と、アルミホイル等輻射熱に対して高反射率の素材３との間隔を約４０ミリメートル以下にすることにより静止空気層２ができ、対流による熱の移動を阻止することが出来る。
【００１３】  外装材４や内装材１と、アルミホイル等輻射熱に対して高反射率の素材３との間隔を２０ミリメートル以上とする事により、今度は伝導熱の影響を少なくすることが出来る。
【００１４】  最も大きな熱量をもつ輻射熱に対しては、アルミホイル等輻射熱に対して高反射率の素材３は９７〜９８パーセントの反射率を持っているので、大半の輻射熱を照射された方向に戻してしまう事になる。
【００１５】  この様に、アルミホイル等輻射熱に対して高反射率の素材３を外装材４と内装材１との間に設け、その各々の間隔を２０〜４０ミリメートル位にする事により静止空気層２が形成され、外装材４と内装材１との熱移動を大幅に削減させることができる。
【００１６】  当然であるが、アルミホイル輻射熱に対して高反射率の素材３を、外装材４と内装材１の間に２０〜４０ミリメートルの静止空気層２を設けながら複層設けると更に多くの熱移動を阻止することが出来る。
【００１７】  壁の厚みを更に薄くしたい場合は、外装材４或いは内装材１に直接アルミホイル等輻射熱に対して高反射率の素材３を取り付けて使用することも可能である。例えば、保冷設備の室内温度がマイナス１０℃の場合、年間を通して熱は屋外から保冷設備内に向かって移動する。このような場合、内装材１の外壁面にアルミホイル輻射熱に対して高反射率の素材３を取り付ける事により、外装材４からの輻射熱を阻止することが出来る。
【００１８】  更に、アルミホイル輻射熱に対して高反射率の素材３を内装材１と外装材４との間に一層設け、更に内装材１の外壁面側に一層取り付ける方法も可能である。こうする事により、壁の厚みを大幅に薄くすることが可能である。
【００１９】  壁面のみならず、ドアー等アルミホイル等輻射熱に対して高反射率の素材３を施工したところは全て密封状態にする。
【００２０】  外装材４や内装材１とアルミホイル等輻射熱に対して高反射率の素材３を接触して使用すると伝導熱の影響を受けやすい。そこでこの問題を解決する方法として、図の様に外装材４や内装材１或いはアルミホイル等輻射熱に対して高反射率の素材３を、熱伝導率の小さい硬質ウレタン等のスペーサー５を使うことにより非接触としている。
【発明の効果】
【００２１】  外装材４と内装材１との間に各々２０ミリメートルの静止空気層２を設けてアルミホイル等輻射熱に対して高反射率の素材３を一層設け、更に内装材１の外壁面側に一層取り付ける事により、硬質ウレタン１００ミリと同等の性能を生むことが可能である。これにより、容積効率を大幅に向上させる事ができる。
【００２２】  野菜は輻射熱をカットすると長期間鮮度が保持されることが実験で確認されている。特に葉物野菜等では２倍の鮮度保持が可能である。つまり、食品の劣化は輻射熱の量に大きく左右される。本発明の保冷設備は、輻射熱の放出が数パーセントとなるため、野菜や果実等の鮮度保持が飛躍的に向上する。
【００２３】  保冷を必要とする輸送用の金属製コンテナ等にも使用可能である。
【符号の説明】
【００２４】  １  内装材
２  静止空気層
３  アルミホイル等輻射熱に対して高反射率の素材
４  外装材
５  スペーサー
【図１】
2014020775.tif 000003
【図２】
2014020775.tif 000004